(57)【要約】      （修正有）【課題】従来の静的な装飾効果を動的に変化あるものとし、視覚的に優れた透光性の板材とその方法を提供する。【解決手段】少なくとも一方の面上に透光率を低下させた帯状部を所定の間隔を置いて形成した透光性の板材において、前記帯状部の一部へ突出部を形成すると共に該突出部の視覚的な連続性により文字や模様を表現する。一つの帯状部の突出部が隣接する帯状部へ接触させずに断続することにより、視点の変化により実質的に連続することで、対向する面上に透光率を低下させた帯状部を所定の間隔を置いて形成した透光性の板材において、前記少なくとも一方の面上に形成した帯状部の一部へ突出部を形成すると共に該突出部の視覚的な連続性により文字や模様を表現する。【選択図】図１
2008201114.tif 000002
【特許請求の範囲】
【請求項１】
少なくとも一方の面上に透光率を低下させた帯状部を所定の間隔を置いて形成した透光性の板材において、前記帯状部の一部へ突出部を形成すると共に該突出部の視覚的な連続性により文字や模様を表現したことを特徴とする板材。
【請求項２】
前記一つの帯状部の突出部が隣接する帯状部へ接触させずに断続することにより、視点の変化により実質的に連続することを特徴とする請求項１に記載の板材。
【請求項３】
前記帯状部または突出部へ色彩を付与したことを特徴とする請求項１及び２のいずれか１項に記載の板材。
【請求項４】
対向する面上に透光率を低下させた帯状部を所定の間隔を置いて形成した透光性の板材において、前記少なくとも一方の面上に形成した帯状部の一部へ突出部を形成すると共に該突出部の視覚的な連続性により文字や模様を表現したことを特徴とする板材。
【請求項５】
前記一つの帯状部の突出部が隣接する帯状部へ接触させずに断続することにより、視点の変化により実質的に連続することを特徴とする請求項４に記載の板材。
【請求項６】
前記対向する面は、単一の板材または複数の板材の任意に選択された二つの面であることを特徴とする請求項４または請求項５のいずれか１項に記載の板材。
【請求項７】
前記帯状部または突出部へ色彩を付与したことを特徴とする請求項４乃乃至求項６のいずれか１項に記載の板材。
【請求項８】
対向する面上に透光率を低下させた帯状部を所定の間隔を置いて形成すると共に、少なくとも一方の面上に形成した帯状部の一部へ隣接する帯状部へ接触させずに突出部を形成した板材において、前記夫々の帯状部を背景とすると共に、突出部と当該突出部の隣接する帯状部との間隙により文字や模様を表現し、所定の視点において、帯状部間の間隙により形成される透光部を背景として突出部により擬似的な黒抜模様が形成され、視点の位置変化により、帯状部を背景として突出部と隣接する帯状部との間隙により形成される透光部によって擬似的な白抜模様が形成されることを特徴とする板材における視点移動による模様形成方法。
【発明の詳細な説明】
【技術分野】
【０００１】本発明は、硝子等の透光性の板材とその板材における視点移動による模様形成方法に関するものであり、詳細には、サンドブラスト加工によるストライプ状の半透明の模様を背景として文字等の意味記号を表現する際に、視点の移動に応じて見栄えを変化させる構造と、その形成方法に関するものである。
【背景技術】
【０００２】従来より、板硝子等の透光性の板体に対して、様々な装飾を施すことが行われている。例えば、特開平０５−１４７９８２の様に、板硝子の表面に色彩及び模様を被膜として施したり、サンドブラスト加工やエッチングにより、部分的に透光性を低くして装飾する。また、中間に樹脂層を有する合わせ硝子の場合は、樹脂へ紺青やフタロシアニン等の顔料又は染料で着色したり、装飾シートを介在させることが知られている。
【特許文献１】特開平０５−１４７９８２号公報
【発明が解決しようとする課題】
【０００３】しかし、最近では、より動的な装飾効果が望まれており、採光等の板材の機能性を維持しつつ、これら周知の一般的な装飾よりも、視覚的な変化が見られる装飾が期待されている。
【０００４】本発明の目的は、上記の課題に鑑みなされたものであり、動的で面白みのある装飾効果を生じる板材とその方法を提供することである。
【課題を解決するための手段】
【０００５】本発明の板材は、少なくとも一方の面上に透光率を低下させた帯状部を所定の間隔を置いて形成した透光性の板材において、前記帯状部の一部へ突出部を形成すると共に該突出部の視覚的な連続性により文字や模様を表現したことを特徴としている。この内、一つの帯状部の突出部が隣接する帯状部へ接触させずに断続することにより、視点の変化により実質的に連続する。
【０００６】また、本発明は、好的には、合わせ硝子や複層硝子の様な、積層構造物に使用されるもので、対向する面上に透光率を低下させた帯状部を所定の間隔を置いて形成した透光性の板材において、少なくとも一方の面上に形成した帯状部の一部へ突出部を形成すると共に該突出部の視覚的な連続性により文字や模様を表現する。この内、前記一つの帯状部の突出部が隣接する帯状部へ接触させずに断続することにより、視点の変化により実質的に連続する。
【０００７】前記対向する面は、単一の板材または複数の板材の任意に選択された二つの面である。
【０００８】本発明の板材は、何れも、帯状部または突出部へ色彩を付与することができる。
【０００９】また、本発明は、対向する面上に透光率を低下させた帯状部を所定の間隔を置いて形成すると共に、少なくとも一方の面上に形成した帯状部の一部へ隣接する帯状部へ接触させずに突出部を形成した板材において、前記夫々の帯状部を背景とすると共に、突出部と当該突出部の隣接する帯状部との間隙により文字や模様を表現し、所定の視点において、帯状部間の間隙により形成される透光部を背景として突出部により擬似的な黒抜模様が形成され、視点の位置変化により、帯状部を背景として突出部と隣接する帯状部との間隙により形成される透光部によって擬似的な白抜模様が形成されることを特徴とする板材における視点移動による模様形成方法を含む。
【実施例】
【００１０】  図１は、本発明に係わる板材の概要図であり、図２は、本発明に係わる板材の表面に形成される前景模様のみの形態を示す概要図であり、図３は、本発明に係わる板材の裏面に形成される背景模様のみの形態を示す概要図であり、図４は、本発明に係わる板材の表面に形成される前景模様の第１の特徴的な形態を示す概要図であり、図５は、本発明に係わる板材の表面に形成される前景模様の第２の特徴的な形態を示す概要図であり、図６は、本発明に係わる板材の表面に形成される前景模様の第３の特徴的な形態を示す概要図である。
【発明を実施するための最良の形態】
【００１１】本発明に係わる板材は、一般建築物、住宅、家具、車輛等の窓、扉、又は、大型店舗、ホテル、ビル等の大型建物の外装壁、内装壁として用いる板硝子に使用されるものであり、とりわけ、二枚の透明板硝子又は樹脂板の間に中間樹脂層を形成した合わせ硝子、複層硝子等においても効果を発揮するものである。【００１２】図１は、板材１として板硝子を用いた実施例を示している。図示の如く、板材１には、サンドブラスト加工やエッチング加工により、少なくとも一方の面上に透光率を低下させた帯状部２を所定の間隔を置いて形成している。ここで、帯状部２の間隔、方向、幅等の形態は、任意に選択することが可能であるが、後述する突出部３の設計により、最適な状態に形成される。【００１３】本発明は、前記帯状部２の一部へ、実施例では、一方向に向けて突出部３を形成すると共に、該突出部３の視覚的な連続性により文字や模様を表現したものである。実施例では、Ｆの文字が浮かび上がるように形成している。【００１４】上記において、一つの帯状部２の突出部３が隣接する帯状部３へ接触させずに断続することにより、視点の変化により実質的に連続することができる。【００１５】とりわけ、図２及び図３に図示の如く、対向する面上に透光率を低下させた帯状部２を所定の間隔を置いて形成した透光性の板材１においては、前記少なくとも一方の面上に形成した帯状部２の一部へ突出部３を形成すると共に該突出部３の視覚的な連続性により文字や模様を表現し易くなる。【００１６】前記対向する面は、単一の板材または複数の板材１の任意に選択された二つの面である【００１７】尚、前記帯状部２または突出部３へ色彩を付与することも可能である。【００１８】本発明は、対向する面上に透光率を低下させた帯状部２を所定の間隔を置いて形成すると共に、少なくとも一方の面上に形成した帯状部２の一部へ隣接する帯状部２へ接触させずに突出部３を形成した板材１において、視点が変化することにより、模様の表現を変化させることができる。【００１９】図４乃至図５は、背景となる帯状部２を背景とすると共に、突出部３と当該突出部３の隣接する帯状部２との間隙により文字や模様を表現し、前景の板材１と背景の板材１の組み合わせにより、模様が変化する形態を示したものである。【００２０】図４は、帯状部２間の間隙により形成される透光部を背景として突出部により擬似的な黒抜模様が形成されている状態を示している。【００２１】図５は、帯状部２を背景として突出部３と隣接する帯状部２との間隙により形成される透光部によって擬似的な白抜模様が形成される状態を示している。【００２２】図６は、背景の黒色面積が最大となっている状態を示しており、これらの連続的な模様形態の変化が、視点移動による得ることができる。
【発明の効果】
【００２３】本発明は、前述の如く構成したことで、視点により模様の形態が変化することから、板材の左右、上下に同一模様を形成することで、全体を俯瞰すると異なる模様が形成されているように見えたり、また、視点を移動させると、同一の模様が変化して見えると共に、照明光や外光の透過率や、採光の態様が微妙に変化することから、幻想的で見る者に感動を与える装飾効果を醸し出す、有意義な発明である。
【図面の簡単な説明】
【００２４】
【図１】本発明に係わる板材の概要図である。
【図２】本発明に係わる板材の表面に形成される前景模様のみの形態を示す概要図である。
【図３】本発明に係わる板材の裏面に形成される背景模様のみの形態を示す概要図である。
【図４】本発明に係わる板材の表面に形成される前景模様の第１の特徴的な形態を示す概要図である。
【図５】本発明に係わる板材の表面に形成される前景模様の第２の特徴的な形態を示す概要図である。
【図６】本発明に係わる板材の表面に形成される前景模様の第３の特徴的な形態を示す概要図である。
【符号の説明】
【００２５】１  板材
２  帯状部
３  突出部
４  非加工部
【図１】
2008201114.tif 000003
【図２】
2008201114.tif 000004
【図３】
2008201114.tif 000005
【図４】
2008201114.tif 000006
【図５】
2008201114.tif 000007
【図６】
2008201114.tif 000008